(57)【要約】      （修正有）【課題】照明機能を持つドライバーの提供。【解決手段】照明機能を持つドライバーの一種は、そのドライバーシャフト１０がグリップ２０の軸方向の中心穴に挿し込まれ、そのグリップの軸方向の両端に前後開口２１．２２が設けられている。前開口内には、複数の発光ダイオードを含む回路板３１、発光ダイオード３０の前端に配置される透光カバー４０、及び前開口端に位置する前蓋５０が順に配置されている。そのグリップの後開口の内側には、電池を含む電池室６１とボタンスイッチ７０、及び後開口端に位置する後蓋が順に配置されている。そのスイッチ、電池６０、回路板、及びその発光ダイオードが電気的連接を構成し、発光ダイオードを前方に発光させて、周囲の光線が不足する状況下でのネジの付け外しに適している。【選択図】図３
0003119888.tif 000002
【実用新案登録請求の範囲】
【請求項１】
照明機能を持つドライバーは、そのドライバーシャフトをグリップの軸方向の中心穴内に挿し込み、そのグリップの軸方向の両端に前後開口を設け、前開口内には、複数の発光ダイオードを含む回路板、発光ダイオード前端に配置される透光カバー、及び前開口端に位置する前蓋が順に配置され、そのグリップの後開口の内側には、電池を含む電池室とボタンスイッチ、及び後開口端に位置する後蓋が順に配置され、そのスイッチ、電池、回路板及びその発光ダイオードは、電気的連接を構成し、発光ダイオードを前方に発光させることを特徴とする照明機能を持つドライバー。
【請求項２】
請求項１記載の照明機能を持つドライバーにおいて、前記スイッチの押し端に当てようとする、後蓋に配置されるボタンを包括することを特徴とする照明機能を持つドライバー。
【請求項３】
請求項１記載の照明機能を持つドライバーにおいて、前記スイッチは電池室の開口端に接続するスイッチ台を有することを特徴とする照明機能を持つドライバー。
【請求項４】
請求項１記載の照明機能を持つドライバーにおいて、前記前蓋は複数の位置決め通し穴を設け、その透光カバーには相対した位置決め突起部が設けられ、発光ダイオードの前端はその位置決め突起部の内側に置かれることを特徴とする照明機能を持つドライバー。
【請求項５】
請求項１記載の照明機能を持つドライバーにおいて、前記前蓋の中心穴の内側には、透光カバーの相対する中心穴の縁をとめつけるための、複数のフックが設けられていることを特徴とする照明機能を持つドライバー。
【考案の詳細な説明】
【技術分野】
【０００１】
本考案は、金物用工具の一種に関するもので、特に照明機能を持つドライバーを指す。
【背景技術】
【０００２】
現在のドライバーは主に、予定長さのドライバーシャフト及びグリップの組みあわせからなる。そのドライバーシャフトのヘッドは一般にマイナス型とプラス型に分けられ、ネジ頭部のマイナス溝、プラス溝に合わせ、回転させることでネジの付け外しを行う。
【０００３】
ただ一般にドライバーの多くには照明装置及び照明機能がないため、周囲の光線が不足する状況下では、通常ネジの位置や溝の位置をはっきり見分ける事ができず、ネジの付け外しの効率に影響を及ぼし、ひどい場合、作業を行うことができない。もし、片手にライトを持って照明し、もう片方の手でドライバーを回転させてネジの付け外しをすると、相対的に作業効率に影響し、且つ労力と時間を浪費することになる。
【考案の開示】
【考案が解決しようとする課題】
【０００４】
本考案の目的は、簡単に使用でき照明機能を持つドライバーの一種を提供することである。
【０００５】
上記の目的を達成するため、本考案のシャフトはグリップの軸方向の中心穴内に挿し込まれ、そのグリップの軸方向の両端には前後開口が設けられている。前開口内には、複数の発光ダイオードを含む回路板一つ、発光ダイオードの前端に配置される透光カバー一つ、及び前開口端に位置する前蓋一つが順に配置されている。そのグリップの後開口の内側には、電池を含む電池室一つとボタンスイッチ一つ、及び後開口端に位置する後蓋一つが順に配置されている。そのスイッチ、電池、回路板及びその発光ダイオードは電気的連接を構成し、発光ダイオードを前方に発光させる。
【０００６】
可能な実施例中では、さらに前記スイッチの押し端に当てようとする、後蓋に配置されるボタン一つを包括し、さらに進んで、そのスイッチは電池室の開口端にセットされるスイッチ台を有する。
【０００７】
比較的良い実施例中、その前蓋には複数の位置決め用通し穴が設けられ、その透光カバーには相対する位置決め突起部があり、発光ダイオードの前端はその位置決め突起部の内側に置かれる。さらに進んで、その前蓋の中心穴の内側には、複数のフックが設置され、透光カバーを相対する中心穴の縁にとめつける。
【課題を解決するための手段】
【０００８】
請求項１の考案は、照明機能を持つドライバーは、そのドライバーシャフトをグリップの軸方向の中心穴内に挿し込み、そのグリップの軸方向の両端に前後開口を設け、前開口内には、複数の発光ダイオードを含む回路板、発光ダイオード前端に配置される透光カバー、及び前開口端に位置する前蓋が順に配置されて、そのグリップの後開口の内側には、電池を含む電池室とボタンスイッチ、及び後開口端に位置する後蓋が順に配置され、そのスイッチ、電池、回路板及びその発光ダイオードは、電気的連接を構成し、発光ダイオードを前方に発光させることを特徴とする照明機能を持つドライバーとしている。
請求項２の考案は、請求項１記載の照明機能を持つドライバーにおいて、前記スイッチの押し端に当てようとする、後蓋に配置されるボタンを包括することを特徴とする照明機能を持つドライバーとしている。
請求項３の考案は、請求項１記載の照明機能を持つドライバーにおいて、前記スイッチは電池室の開口端に接続するスイッチ台を有することを特徴とする照明機能を持つドライバーとしている。
請求項４の考案は、請求項１記載の照明機能を持つドライバーにおいて、前記前蓋は複数の位置決め通し穴を設け、その透光カバーには相対した位置決め突起部が設けられ、発光ダイオードの前端はその位置決め突起部の内側に置かれることを特徴とする照明機能を持つドライバーとしている。
請求項５の考案は、請求項１記載の照明機能を持つドライバーにおいて、前記前蓋の中心穴の内側には、透光カバーの相対する中心穴の縁をとめつけるための、複数のフックが設けられていることを特徴とする照明機能を持つドライバーとしている。
【考案の効果】
【０００９】
本考案のドライバーは、照明発光装置一つが増加し、且つ、発光装置に発光ダイオードを光源として採用することで、精巧な構造と高度な照明効果等の長所を有し、周囲の光線が不足した状況下での使用に適している。
【考案を実施するための最良の形態】
【００１０】
まず、図１を参照する。本考案の照明機能を持つドライバーは、基本的に設定長さのドライバーシャフト(10)一つ、そのドライバーシャフト(10)にグリップ(20)を接続する挿し込みセット一つ、及び複数の発光ダイオード(30)を含む発光装置一つを包括する。そのドライバーシャフト(10)のドライバーヘッド(11)はマイナス型及びプラス型とする事ができる。
【００１１】
図１、２に示すように、そのグリップ(20)の軸方向の両端に、前後開口(21)、(22)を設けて、且つ前開口(21)部から、内側軸方向に中心穴(23)が延び、そのドライバーシャフト(10)の後半部及びそのゴムスリーブ(12)を接続する挿し込みセットを提供する。そのグリップ(20)の前開口(21)内には、複数の発光ダイオード(30)を含む回路板(31)一つ、発光ダイオード(30)の前端に配置される透光カバー(40)一つ、及び前開口(11)端に位置する前蓋(50)一つが順に配置され、発光ダイオード(30)前方に光線を発して照明する。
【００１２】
上記の回路板(31)と透光カバー(40)は全て中心穴を含み、そして前蓋(50)の中心穴(53)の内側に複数のフック(52)を設けて、透光カバー(40)の相対する中心穴の縁に取り付ける。その前蓋(50)の端面には、複数の扇形の位置決め通し穴(51)が等間隔に設置され、透光カバー(40)の相対する透光位置決め突起部(41)に置いて固定する。同時にその位置決め突起部(41)は発光ダイオード(30)の前端頭部を収納し、位置決めする事ができ、相対的にその回路板(31)を固定する。そして、その前蓋(50)の開口端の内縁に予め複数個のとめ具(54)を設置して、そのグリップ(20)の前開口(21)外周の相対するとめ穴(25)で位置決めしとめ付ける。
【００１３】
図２、３に示す実施例中では、そのグリップ(20)内部の中心穴(23)外側の軸方向に、配線用穴(24)が二つ設けられ、前後開口(21)、(22)と連通している。グリップ(20)の後開口(22)内には、電池(60)を含む電池室(61)一つとボタンスイッチ(70)一つ、及び後開口(22)端に位置する後蓋(80)一つが順に配置され、スイッチ(70)、電池(60)、発光ダイオード(30)、及びその回路板(31)は電気的な連接状態を構成している。
【００１４】
上記の電池室(61)には、電池(60)の一端をキープする第一導電片(62)一つ、及び開口端外周の相対位置に第二導電片(63)一つが予め設置される。且つ両者にはんだ付けされた電源線(64)、(65)が、配線用穴(24)を通って前へ出て、発光ダイオード(30)及びその回路板(31)の接点に接続されている。そのスイッチ(70)はスイッチ台(71)上に設置され、電池室(61)の開口端にセットで接続されている。且つその二つの接続脚が第一及び第二導電片(72)、(73)にはんだ付けされ、その第一導電片(72)は電池(60)のもう一端にキープされ、第二導電片(73)は電池室(61)の外周の第二導電片(63)と接触し、電池(60)のオンオフ制御により、スイッチ(70)で電源を導電及び切断する。
【００１５】
その後蓋(80)には、スイッチ(70)に配合して中心穴(82)一つが設けられ、その外周には、グリップ(20)の後開口(22)に挿し込み、位置決めするため、前向きの接続リング(81)が設置されている。比較的良い実施例中、スイッチ(70)のボタンエンド(74)に、押しボタン(75)を一つ取りつける事ができ、且つ押しボタン(75)をその後蓋(80)の中心穴(82)にはめ込み、使用者のボタン操作に供する。
【００１６】
実際にドライバーを使用する時は、スイッチ(70)のボタン(75)を押し、複数個の発光ダイオード(30)への電池(60)電源の導電供給を制御して、発光ダイオード(30)を発光させる。同時に光線は透光カバー(40)の位置決め突起部(41)から前面に照射され、周囲の光線が不足した状況下でも、使用者が迅速にネジの付け外しができるよう便を図る。
【図面の簡単な説明】
【００１７】
【図１】本考案の実施例の照明機能を有するドライバーの立体図である。
【図２】図１の立体断面図である。
【図３】図２に電源線をはんだ付けした、別の角度からの組立断面図である。
【符号の説明】
【００１８】
(10)ドライバーシャフト        (11)ドライバーヘッド
(12)ゴムスリーブ
(20)グリップ            (21)前開口            (22)後開口
(23)中心穴              (24)配線用穴          (25)とめ穴
(30)発光ダイオード      (31)回路板            (40)透光カバー
(41)位置決め突起部      (50)前蓋              (51)位置決め通し穴
(52)フック              (53)中心穴            (54)とめ具
(60)電池                (61)電池室            (62)第一導電片
(63)第二導電片          (64)電源線            (65)電源線
(70)スイッチ            (71)スイッチ台        (72)第一導電片
(73)第二導電片          (74)ボタンエンド      (75)押しボタン
(80)後蓋                (81)接続リング        (82)中心穴
【図１】
0003119888.tif 000003
【図２】
0003119888.tif 000004
【図３】
0003119888.tif 000005